(57)【要約】【課題】  メールを送信できない状況であるにもかかわらず、無駄な送信動作を行うことを回避する。【解決手段】  メール送信指示があった際に（Ｓ３ステップ）圏外であると（Ｓ４ステップ）、メール送信を行わず、予約送信指示があると（Ｓ９ステップ）、圏内になった時点でメール送信を行う（Ｓ１４〜Ｓ１６ステップ）。圏内になってからのメール送信が３回失敗すると（Ｓ１９ステップ）、所定の電界強度になってからメール送信を行う（Ｓ２０〜Ｓ２１ステップ）。【選択図】      図２
2007110584.tif 000002
【特許請求の範囲】
【請求項１】
所定以上の電界強度になると自動的にメールを送信することを特徴とする携帯電話装置。
【請求項２】
電界強度の強さをアンテナマークの本数で表示する表示部を有し、前記アンテナマークの本数が所定の数になると自動的にメールを送信することを特徴とする携帯電話装置。
【請求項３】
電界強度の強さをアンテナマークの本数で表示する表示部を有し、前記アンテナマークの本数が表示可能な最多の数になると自動的にメールを送信することを特徴とする携帯電話装置。
【請求項４】
入力手段と、メール送受信手段と、電界強度検出手段と、
前記入力手段からメール送信指示がある際に、前記電界強度検出手段が所定未満の電界強度であると検出するとメール送信をせず、続いて前記電界強度検出手段が所定以上の電界強度であると検出すると自動的に前記メールを送信するように前記メール送受信手段を制御する制御手段と、を有することを特徴とする携帯電話装置。
【請求項５】
入力手段と、メール送受信手段と、電界強度検出手段と、制御手段と、を有し、
前記制御手段は、前記入力手段からメール送信指示がある際に、前記電界強度検出手段が予め定められた第１の電界強度以上を検出しなければメール送信をせず、続いて前記電界強度検出手段が前記第１の電界強度以上を検出すると自動的に前記メールを送信するように前記メール送受信手段を制御し、前記第1の電界強度を検出して前記メールを送信し、送信の失敗回数が予め定められた回数になると、前記第1の電界強度より大きい第２の電界強度を閾値として自動的にメールを送信するように制御することを特徴とする携帯電話装置。
【請求項６】
入力手段と、メール送受信手段と、電界強度検出手段と、
前記入力手段から、前記メール送受信手段を用いてメールを送信するように指示があった際に、前記電界強度検出手段が所定以上の電界強度を検出していなければ、前記メール送受信手段を用いてメール送信することを禁止するよう制御する制御手段と、を有することを特徴とする携帯電話装置。
【請求項７】
入力手段と、メール送受信手段と、電界強度の強さをアンテナマークの本数で表示する表示部と、
前記入力手段から、前記メール送受信手段を用いてメールを送信するように指示があった際に、前記表示部に表示される前記アンテナマークの本数が所定の数になっていなければ、前記メール送受信手段を用いてメール送信することを禁止するよう制御する制御手段と、を有することを特徴とする携帯電話装置。
【発明の詳細な説明】
【技術分野】
【０００１】
本発明は、メール機能を有する携帯電話装置に関する。
【背景技術】
【０００２】
近年の携帯電話装置にはメールの送受信機能が装備されている。このメール機能に関するさまざまな技術が提案されており、例えば、１つの電子メールを複数の宛先に同報送信する技術が開示されている（特許文献１参照）。
【特許文献１】特開２００５−１９０１１０号公報
【発明の開示】
【発明が解決しようとする課題】
【０００３】
従来の携帯電話装置や、上記特許文献１記載の技術では、作成したメールを送信する際に、携帯電話装置が基地局からの電波の届く範囲内にいなければ、メールを基地局へ送ることができない。
【０００４】
この為、従来では、ユーザが表示部のアンテナマークを見て、圏外でないことを確かめてからメール送信の操作を行っていた。これでは、携帯電話装置が圏内になるまでユーザが表示部をチェックする必要があり、非常に手間がかかっていた。
【０００５】
又、ユーザが圏外表示を見落とし、圏外が表示されているにもかかわらずメールの送信操作を行ってもメールが基地局へ届かない為に、メールの送信操作が無駄となってしまう。
【課題を解決するための手段】
【０００６】
本願発明は、このような課題を解決する為のものであり、請求項１記載の携帯電話装置は、所定以上の電界強度になると自動的にメールを送信することを特徴とする。
請求項２記載の携帯電話装置は、電界強度の強さをアンテナマークの本数で表示する表示部を有し、前記アンテナマークの本数が所定の数になると自動的にメールを送信することを特徴とする。
請求項３記載の携帯電話装置は、電界強度の強さをアンテナマークの本数で表示する表示部を有し、前記アンテナマークの本数が表示可能な最多の数になると自動的にメールを送信することを特徴とする。
請求項４記載の携帯電話装置は、入力手段と、メール送受信手段と、電界強度検出手段と、前記入力手段からメール送信指示がある際に、前記電界強度検出手段が所定未満の電界強度であると検出するとメール送信をせず、続いて前記電界強度検出手段が所定以上の電界強度であると検出すると自動的に前記メールを送信するように前記メール送受信手段を制御する制御手段と、を有することを特徴とする。
請求項５記載の携帯電話装置は、入力手段と、メール送受信手段と、電界強度検出手段と、制御手段と、を有し、前記制御手段は、前記入力手段からメール送信指示がある際に、前記電界強度検出手段が予め定められた第１の電界強度以上を検出しなければメール送信をせず、続いて前記電界強度検出手段が前記第１の電界強度以上を検出すると自動的に前記メールを送信するように前記メール送受信手段を制御し、前記第1の電界強度を検出して前記メールを送信し、送信の失敗回数が予め定められた回数になると、前記第1の電界強度より大きい第２の電界強度を閾値として自動的にメールを送信するように制御することを特徴とする。
請求項６記載の携帯電話装置は、入力手段と、メール送受信手段と、電界強度検出手段と、前記入力手段から、前記メール送受信手段を用いてメールを送信するように指示があった際に、前記電界強度検出手段が所定以上の電界強度を検出していなければ、前記メール送受信手段を用いてメール送信することを禁止するよう制御する制御手段と、を有することを特徴とする。
請求項７記載の携帯電話装置は、入力手段と、メール送受信手段と、電界強度の強さをアンテナマークの本数で表示する表示部と、前記入力手段から、前記メール送受信手段を用いてメールを送信するように指示があった際に、前記表示部に表示される前記アンテナマークの本数が所定の数になっていなければ、前記メール送受信手段を用いてメール送信することを禁止するよう制御する制御手段と、を有することを特徴とする。
【発明の効果】
【０００７】
本発明によれば、作成したメールをメモリに記憶しておき、メール送信可能な電波状態になると、自動的にメモリに記憶したメールを送信する為、ユーザが一々メール送信操作を行う必要がない。
請求項１記載の発明によれば、所定以上の電界強度になると自動的にメールを送信するため、ユーザが一々メール送信操作を行う必要がない。
請求項２記載の発明によれば、アンテナマークの本数が所定の数になると自動的にメールを送信するため、ユーザが一々メール送信操作を行う必要がない。
請求項３記載の発明によれば、アンテナマークの本数が表示可能な最多の数になると自動的にメールを送信するため、ユーザが一々メール送信操作を行う必要がない。
【０００８】
請求項４記載の発明によれば、メール送信指示があった際に所定未満の電界強度であるとメール送信を行わないため、ユーザが無駄なメール送信操作を行う必要がない。又、電界強度が所定以上となれば自動的にメールを送信するため、ユーザが一々メール送信操作を行う必要がない。
【０００９】
請求項５記載の発明によれば、メール送信指示があった際に、第１の電界強度でなければメール送信を行わないため、ユーザが無駄なメール送信を行う必要がない。又、メール送信を行うのに第１の電界強度であれば自動的にメールを送信するため、ユーザが一々メール送信操作を行う必要がない。
【００１０】
請求項６記載の発明によれば、電界強度検出手段が所定の電界強度を検出していなければメール送信を行わない為、無駄なメール送信を行うことがない。
【００１１】
請求項７記載の発明によれば、アンテナマークが所定の本数となっていなければ、メール送信を行わない為、無駄なメール送信を行うことがない。
【発明を実施するための最良の形態】
【００１２】
次に、本発明の一実施形態に係る携帯電話装置について、図面を参照して説明する。
【００１３】
図１は本実施例装置である携帯電話装置のブロック図である。図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１４】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１５】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１６】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１７】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１８】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１９】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３７が接続されており、ＲＯＭ３７に格納されているシステムプログラムに基づき各部を制御する。
【００２０】
また、制御回路３６には、入力部４４が接続されている。この入力部４４は、電話番号の入力やメール作成等を行う為のテンキー４８と、通話の開始を操作する通話キー５０と、通話を切るための切キー５２と、機能キー５４とを有している。
【００２１】
ＲＡＭ（Ｒａｎｄｕｍ  Ａｃｃｅｓｓ  Ｍｅｍｏｒｙ）３８は、入力部４４からの入力操作により作成されたメールが格納され、例えば、メールタイトル、メール本文、メール送信先のメールアドレス等からなるメールが複数件分格納される。又、ＲＡＭ３８には電話帳データも格納され、相手先の氏名、電話番号、メールアドレス等からなる相手先情報が複数件分格納される。送信メールの相手先のメールアドレスは、この電話帳データから選択することも可能である。又、予約送信フラグとカウンタを有しており、予約送信フラグは、携帯電話装置が圏外から圏内に移動した際に自動的にメールを送信するか否かを設定する為のフラグである。一方、カウンタは、圏内になり自動的にメールを送信したが、失敗した回数をカウントするカウンタである。
【００２２】
本実施例装置はこのような構成である。次に、本実施例装置の動作について以下に説明する。
【００２３】
先ず、第１実施例について以下に説明する。
【００２４】
第１実施例では、メール作成後、メール送信指示がある際に携帯電話装置が圏外にいる場合には、ユーザが送信予約指示をすることにより、携帯電話装置が圏内に入ると自動的に作成したメールを送信するものである。又、圏内に入ってメール送信したにもかかわらずメール送信に失敗した場合には、所定の電界強度になるまで待ち、所定の電界強度になるとメールを送信するものである。
【００２５】
図２のＳ１ステップでは、入力部４４からの入力によりメールが作成され、続くＳ２ステップにおいて、作成されたメールはＲＡＭ３８に一時的に格納される。尚、作成されたメールは、バッファメモリのようなものに一時的に格納しても良いし、メール送信フォルダのように、送信メールを複数格納するフォルダのようなものに格納しても良い。
【００２６】
Ｓ３ステップでは、制御回路３６は、入力部４４からメール送信指示があると判定すると、Ｓ４ステップへ処理を進める。尚、この時、ディスプレイ４２には、図３（ａ）に示すようにメール送信するか否かの問い合わせ表示が行われる。
【００２７】
Ｓ４ステップでは、制御回路３６は、ベースバンド部１４が計測した電界強度に基づいて、圏外（携帯電話装置が基地局からの電波が届かない位置にいる、或いは送受信できるほどの電界強度がない状態）であると判定すると、Ｓ７ステップへ処理を進め、そうでなければＳ５ステップへ処理を進める。尚、この時、ディスプレイ４２には、図３（ｂ）に示すように圏外であることを示す表示が行われる。
【００２８】
Ｓ５ステップでは、制御回路３６は、電話通信部１２及びベースバンド部１４を制御することにより、前記Ｓ１及びＳ２ステップで作成しＲＡＭ３８に格納したメール本文を送信させ、Ｓ６ステップへ処理を進める。
【００２９】
Ｓ６ステップでは、制御回路３６は、送信に成功したと判定すると、処理を終了し、そうでなければ、Ｓ３ステップへ処理を戻す。
【００３０】
Ｓ７ステップでは、制御回路３６は、ディスプレイ４２を制御することにより、ディスプレイ４２に「圏外」と表示させる。例えば、ディスプレイ４２のアンテナマークの表示位置に「圏外」という文字を表示させ、Ｓ８ステップへ処理を進める。
【００３１】
Ｓ８ステップでは、制御回路３６は、前記Ｓ３ステップにおけるメール送信指示の受付を拒否し、メール送信を行わないように制御し、Ｓ９ステップへ処理を進める。
【００３２】
Ｓ９ステップでは、制御回路３６は、入力部４４から予約送信指示があると判定すると、Ｓ１０ステップへ処理を進め、そうでなければ、Ｓ１１ステップへ処理を進める。尚、この時、ディスプレイ４２には、図３（ｃ）に示すように予約送信するか否かの問い合わせ表示が行われる。
【００３３】
Ｓ１０ステップでは、制御回路３６は、ＲＡＭ３８に格納されている予約送信フラグをオンし、即ち、圏内になると自動的にメールを送信する状態にし、Ｓ１１ステップへ処理を進める。
【００３４】
Ｓ１１ステップでは、制御回路３６は、ＲＡＭ３８に格納されている予約送信フラグがオンであると判定すると、Ｓ１５ステップへ処理を進め、そうでなければ、Ｓ１２ステップへ処理を進める。
【００３５】
Ｓ１２ステップでは、制御回路３６は、入力部４４からメール送信指示があると判定すると、Ｓ１３ステップへ処理を進め、そうでなければ、Ｓ９ステップへ処理を戻す。
【００３６】
Ｓ１３ステップでは、制御回路３６は、電話通信部１２及びベースバンド部１４を制御することにより、前記Ｓ１及びＳ２ステップで作成しＲＡＭ３８に格納したメール本文を送信させ、Ｓ１４ステップへ処理を進める。
【００３７】
Ｓ１４ステップでは、制御回路３６は、送信に成功したと判定すると、処理を終了し、そうでなければ、Ｓ３ステップへ処理を戻す。
【００３８】
Ｓ１５ステップでは、制御回路３６は、ベースバンド部１４が計測した電界強度に基づいて、圏内（携帯電話装置が基地局から電波の届く位置にあるか或いは送受信できるほどの電界強度がある状態）であると判定すると、Ｓ１６ステップへ処理を進め、そうでなければＳ１２ステップへ処理を進める。尚、この時、ディスプレイ４２には、図３（ｄ）に示すように圏内になったのでメール送信する旨の表示が行われる。
【００３９】
Ｓ１６ステップでは、制御回路３６は、Ｓ１１ステップと同様に、ＲＡＭ３８に格納されているメールを送信する。
【００４０】
Ｓ１７ステップでは、制御回路３６は、メールが正常に送信できたと判定すると処理を終了し、そうでなければ、Ｓ１８ステップへ処理を進める。
【００４１】
Ｓ１８ステップでは、制御回路３６は、ＲＡＭ３８に格納されているカウンタのカウントアップを行い、Ｓ１９ステップへ処理を進める。
【００４２】
Ｓ１９ステップでは、制御回路３６は、ＲＡＭ３８に格納されているカウンタが３回をカウントしたと判定すると、Ｓ２０ステップへ処理を進め、そうでなければ、Ｓ１１ステップへ処理を戻す。
【００４３】
Ｓ２０ステップでは、制御回路３６は、ベースバンド部１４が計測した電界強度に基づいて、予め定められた所定の電界強度（例えば、メールを送受信できるには十分な電界強度であり、ディスプレイ４２に表示されるアンテナが例えば４本表示される構成であれば、アンテナが４本全て表示されることに対応する電界強度）であると判定すると、Ｓ２１ステップへ処理を進める。尚、この時、ディスプレイ４２には、図３（ｅ）に示すような表示が行われる。又、この所定の電界強度は、ユーザが設定可能であっても良いし、工場出荷時に既に設定されている値でも良い。又、電界強度は、アンテナが４本全て表示されることに対応する電界強度でなくともよく、アンテナが２本、或いは３本表示されることに対応する電界強度でも良い。
【００４４】
又、Ｓ２０ステップで所定の電界強度でなければ、ユーザのメール送信指示に基づいてメールを送信する構成にしても良い。
【００４５】
Ｓ２１ステップでは、制御回路３６は、Ｓ１３ステップと同様にメール送信制御を行い、Ｓ２２ステップへ処理を進める。
【００４６】
Ｓ２２ステップでは、制御回路３６は、メールが正常に送信されたと判定すると処理を終了し、そうでなければ、Ｓ２０ステップへ処理を戻す。
【００４７】
このように、第１実施例装置では、メール送信指示があった際に圏外であると、メール送信を行わないようにしている。続いて、携帯電話装置が圏内に入ると、自動的にメールを送信する構成としている。この為、無駄なメール送信を行わなくて済む。又、携帯電話装置が圏外から圏内に入った際に、自動的にメールを送信する為、ユーザが一々メール送信操作を行う必要がない。更に、圏内に入ってからメール送信の失敗が所定回数を行われると、所定の電界強度（例えば、アンテナが最大数まで表示されている状態）になると、自動的にメールを送信する為、メールを送信できない状態で無駄なメール送信が行われることを回避することが可能である。
【００４８】
次に、第２実施例装置について説明する。第１実施例と第２実施例との違いは、図２のＳ３〜Ｓ８ステップと、図４のＳ３〜Ｓ７ステップの部分にある。他の部分は同じ動作を行うため説明を省略する。
【００４９】
図４のＳ１ステップでメールが作成され、Ｓ２ステップで作成されたメールがＲＡＭ３８に格納されると、Ｓ３ステップでは、制御回路３６は、ベースバンド部１４が計測した電界強度に基づいて、圏外（携帯電話装置が基地局からの電波が届かない位置にいる、或いは送受信できるほどの電界強度がない状態）であると判定すると、Ｓ７ステップへ処理を進め、そうでなければＳ４ステップへ処理を進める。尚、この時、ディスプレイ４２には、図３（ｂ）に示すように圏外であることを示す表示が行われる。
【００５０】
Ｓ４ステップでは、制御回路３６は、入力部４４からメール送信指示があると判定するとＳ５ステップへ処理を進める。
【００５１】
続くＳ５ステップでは、制御回路３６は、電話通信部１２及びベースバンド部１４を制御することにより、前記Ｓ１及びＳ２ステップで作成しＲＡＭ３８に格納したメール本文を送信させ、Ｓ６ステップへ処理を進める。
【００５２】
Ｓ６ステップでは、制御回路３６は、送信に成功したと判定すると、処理を終了し、そうでなければ、Ｓ３ステップへ処理を戻す。
【００５３】
Ｓ７ステップでは、制御回路３６は、ディスプレイ４２を制御することにより、ディスプレイ４２に「圏外」と表示させる。例えば、ディスプレイ４２のアンテナマークの表示位置に「圏外」という文字を表示させ、Ｓ８ステップへ処理を進める。
【００５４】
以下続くＳ８ステップ〜Ｓ２１ステップは、図２のＳ９ステップ〜Ｓ２２ステップに対応する為、説明を省略する。
【００５５】
このように、第２実施例装置では、メール作成後電界強度が圏外レベルであった場合には、ユーザの予約送信指示に基づいて、電界強度が圏内レベルになるまで待機し、電界強度が圏内レベルになるとＲＡＭ３８に格納していたメールを自動的に送信する為、ユーザが何度もメール送信指示操作を行なう必要がない。又、電界強度が圏内レベルであるにもかかわらず、所定の回数メール送信に失敗すれば、アンテナマークが４つ表示されているのに対応する電界強度になった際に、メール送信を行う、即ち、携帯電話装置にとって最適なメール送信環境になった時にメールを送信する為、無駄なメール送信を回避することが可能である。
【００５６】
尚、本実施例では、ディスプレイ４２に「圏外」表示からアンテナマークの表示に切り替わると、メールを送信する構成としたが、メールを送信可能なレベルの電界強度になった時点や、予め設定した電界強度になった時点や、ディスプレイ４２に表示されるアンテナマークが所定の本数となった時点や、アンテナマークがディスプレイ４２に表示される最大の数になった時点でメールを送信する構成としても良い。
【図面の簡単な説明】
【００５７】
【図１】本実施例装置のブロック図である。
【図２】本実施例装置の第１実施例の動作を示すフロー図である。
【図３】ディスプレイ４２の表示形態を示す図である。
【図４】本実施例装置の第２実施例の動作を示すフロー図である。
【符号の説明】
【００５８】
１２      電話通信部
１４      ベースバンド部
３６      制御回路
３８      ＲＡＭ
４４      入力部
【図１】
2007110584.tif 000003
【図２】
2007110584.tif 000004
【図３】
2007110584.tif 000005
【図４】
2007110584.tif 000006